(57)【特許請求の範囲】
【請求項１】
屋根本体と、この屋根本体の縁部に設けられた雨樋部とを備える屋根であって、
前記雨樋部は、前記屋根本体に降り注いだ雨水を流すための軒樋部と、この軒樋部の外周側の少なくとも一部に、取付部材を用いて取り付けられる化粧部材とを備えており、
前記化粧部材は、前記軒樋部の長手方向に沿って延びるように取り付けられており、前記軒樋部の湾曲部分に沿って湾曲した湾曲部を備えており、
前記軒樋部の長手方向に沿って複数個配置された取付部材を有し、
前記取付部材の上端部から突出された突出部と、前記化粧部材の上端部から突出された上端側係合片とを有し、
前記上端側係合片と前記突出部とは互いに逆方向に向かって突出されており、前記上端側係合片は前記突出部上に重なるように係合されるとともに、前記上端側係合片の先端は更に前記取付部材に沿って下方に突出していることを特徴とする屋根。
【請求項２】
前記化粧部材の長手方向の両端部に、当該端部をそれぞれ被覆するための端部キャップが取り付けられていることを特徴とする請求項１に記載の屋根。
【請求項３】
前記化粧部材には、前記軒樋部側へ突出する、前記化粧部材を補強するためのリブが形成されていることを特徴とする請求項１又は請求項２に記載の屋根。
【請求項４】
前記軒樋部の外周側に前記化粧部材を取り付けて、前記軒樋部を二重にするような構成としたことを特徴とする請求項１〜請求項３のいずれか１項に記載の屋根。
【請求項５】
前記化粧部材は、前記湾曲部の一端側となる下端部が曲折し前記軒樋部の前記湾曲部分を覆うように延びる曲折片を、備えていることを特徴とする請求項１〜請求項４のいずれか１項に記載の屋根。
【発明の詳細な説明】
【技術分野】
【０００１】
本発明は、屋根に関し、特に、色調や模様等のバリエーションを高めて、意匠性を向上させることができる屋根に関する。
【背景技術】
【０００２】
従来、例えば、特許文献１に示すように、テラスやカーポート等の屋根を構成する屋根本体の端縁には、屋根に降り注いだ雨水等を集めて地上へと排水するための雨樋部が設けられている。
【特許文献１】特開平１１−２２９６４８号公報
【発明の開示】
【発明が解決しようとする課題】
【０００３】
ところで、近年では、雨樋部に対して色調や模様等のバリエーションが求められる場合がある。しかしながら、従来の雨樋部は、茶色や黒色等の単一色によるものが一般的であり、外観に配慮したものは殆ど開発されておらず、意匠性に乏しいという問題がある。
【０００４】
本発明の目的は、色調や模様等のバリエーションを高めて、意匠性を向上させることができる屋根を提供することにある。
【課題を解決するための手段】
【０００５】
本発明は、屋根本体と、この屋根本体の縁部に設けられた雨樋部とを備える屋根であって、前記雨樋部は、前記屋根本体に降り注いだ雨水を流すための軒樋部と、この軒樋部の外周側の少なくとも一部に、取付部材を用いて取り付けられる化粧部材とを備えており、前記化粧部材は、前記軒樋部の長手方向に沿って延びるように取り付けられており、前記軒樋部の湾曲部分に沿って湾曲した湾曲部を備えており、前記軒樋部の長手方向に沿って複数個配置された取付部材を有し、前記取付部材の上端部から突出された突出部と、前記化粧部材の上端部から突出された上端側係合片とを有し、前記上端側係合片と前記突出部とは互いに逆方向に向かって突出されており、前記上端側係合片は前記突出部上に重なるように係合されるとともに、前記上端側係合片の先端は更に前記取付部材に沿って下方に突出していることを特徴とする。
【０００６】
また、前記化粧部材の長手方向の両端部に、当該端部をそれぞれ被覆するための端部キャップが取り付けられていてもよい。
【０００７】
また、前記化粧部材には、前記軒樋部側へ突出する、前記化粧部材を補強するためのリブが形成されていてもよい。
【０００８】
また、前記軒樋部の外周側に前記化粧部材を取り付けて、前記軒樋部を二重にするような構成としてもよい。
【０００９】
また、前記化粧部材は、前記湾曲部の一端側となる下端部が曲折し前記軒樋部の前記湾曲部分を覆うように延びる曲折片を、備えていてもよい。
【発明の効果】
【００１０】
本発明の屋根によれば、軒樋部に化粧部材を取り付けるようにしたので、軒樋部に種々の模様や様々な色調等を施すことができ、軒樋部や屋根の意匠性を向上できるという効果がある。
【発明を実施するための最良の形態】
【００１１】
以下、本発明の一実施形態に係る屋根が適用されたテラスについて、図面を参照して説明する。図１に示すように、テラス１は、躯体２からその外側へ延びる屋根３と、屋根３をその前側（図１中左側；軒先側）で支持する例えば２本の柱４とを備えている。屋根３は、前側へ行くに従って下方へ傾斜した屋根本体１０と、屋根本体１０の前側の縁部に取り付けられた雨樋部２０とを備えている。
【００１２】
屋根本体１０は、後側端部の垂木掛１１と、垂木掛１１と平行な前側端部の前枠１２と、垂木掛１１および前枠１２の左右端部間に掛け渡された側枠１３と、垂木掛１１および前枠１２の間に側枠１３と平行に掛け渡された垂木１４とを備えている。また、垂木掛１１と、前枠１２と、側枠１３との内側部分には、屋根材１５が設けられている。
【００１３】
図２は、屋根１の軒先側を拡大して示す縦断面図である。  
図２に示すように、雨樋部２０は、前枠１２と一体的に形成された軒樋部２１と、軒樋部２１に取り付けられた取付部材２２と、取付部材２２に取り付けられた化粧部材２３と、軒樋部２１の底部から柱４に沿って下方へと延びる竪樋部２４とを備えている。このような雨樋部２０では、屋根本体１０に降り注いだ雨水が傾斜に沿って軒樋部２１へと流れこみ、軒樋部２１で集水された後、竪樋部２４を通って地上へと排水される。
【００１４】
図１に戻って、軒樋部２１は、両側枠１３に亘って前枠１２に沿って延びるように形成されている。また、図２に示すように、軒樋部２１は、前枠１２の前端部１２Ａから、上方に向けて円弧状に湾曲している。
【００１５】
取付部材２２は、軒樋部２１の外周側に設けられている。図３に示すように、取付部材２２は、軒樋部２１の長手方向、すなわち、図３の左右方向に沿って複数個が配置されている。
【００１６】
図２に示すように、各取付部材２２は、軒樋部２１の湾曲部分に沿って湾曲した取付部材本体としての湾曲部２６と、湾曲部２６から軒樋部２１側へ突出した第１の係合片であるＬ字状の内係合片２７と、湾曲部２６の一端側となる上端部から軒樋部２１とは反対側の外周側へ突出した突出部２８と、湾曲部２６の他端側となる下端部から外側上方へと突出した第１の係合片であるＬ字状の外係合片２９とを備えて構成されている。内係合片２７は、軒樋部２１の先端部である上端部２１Ａに係合している。なお、突出部２８と外係合片２９の機能については後述する。
【００１７】
図１に示すように、化粧部材２３は、軒樋部２１の長手方向に沿って延びるように取り付けられている。また、図２に示すように、化粧部材２３は、軒樋部２１の湾曲部分に沿って湾曲した化粧部材本体としての湾曲部３１と、湾曲部３１の一端側となる上端部が取付部材２２側へ突出した第３の係合片としてのＬ字状の上端側係合片３２と、湾曲部３１における上端側係合片３２よりも他端側となる、湾曲部３１の中央部分から取付部材２２側の下方へと突出した第４の係合片としてのＬ字状の中央側係合片３３と、湾曲部３１の一端側となる下端部が曲折し、軒樋部２１の湾曲部２６を覆うように延びる曲折片３４とを備えて構成されている。
【００１８】
湾曲部３１の外周側表面には、種々の色調や、木目調等の様々な模様が施された装飾部３５が例えばラミネート加工で施され、この装飾部３５が外部に露出している。上端側係合片３２は、取付部材２２の突出部２８の上に重なるように配置されて係合し、さらに、上部側から互いを貫通するビスにより固定されている。これにより、化粧部材２１は、取付部材２２を介して、軒樋部２１の雨水の流れに関与しない部分で取り付けられる。中央側係合片３３は、取付部材２２の外係合片２９と噛合するように係合している。
【００１９】
また、化粧部材２３には、その中央部分および下側に、長手方向の端部からビスを挿通させるための挿通部３６がそれぞれ形成されている。これらの挿通部３６にビスが挿通されて、化粧部材２３の長手方向の両端部に、当該端部をそれぞれ被覆するための図示しない端部キャップが取り付けられる。また、図１に示すように、前枠１２および雨樋部２０の両端部側には、当該端部を被覆するためのキャップ３７が設けられている。また、湾曲部３１における挿通部３６間には、軒樋部２１側へ突出する化粧部材２３を補強するためのリブ３８が形成されている。
【００２０】
本実施形態によれば、以下のような効果がある。  
(１)軒樋部２１に、外周側表面に模様や色調等が施された装飾部３５がラミネート加工等された化粧部材２３を取り付けるようにしたので、一般的に単一色とされていた軒樋部２１に種々の模様や多様な色調等を施すことができ、軒樋部２１の意匠性を向上できる。これにより、テラス１の外観性を向上できる。
【００２１】
(２)軒樋部２１の外周側に化粧部材２３を取り付けて、軒樋部２１を二重にするような構成としたので、軒樋部２１の断面寸法が大きくなって軒樋部２１の強度が向上し、軒樋部２１の長手方向の中央部分で撓み等が生じることを防止できる。
【００２２】
(３)取付部材２２を介して化粧部材２３を取り付ける構成としたので、例えば、既設の軒樋部２１に取付部材２２や化粧部材２３を取り付けるだけで、軒樋部２１のリフォームを簡単に行うことができる。
【００２３】
(４)取付部材２２の上端部にある突出部２８に、化粧部材２３の上端部にある上端側係合片３２を係合させ、その上部側からビス止めする構成としたので、ビスの頭部が外部から見え難いため、意匠性を損なうことを防止できる。
【００２４】
(５)取付部材２２には、樋軒部２１の上端部に係合する内係合片２７が形成され、また、化粧部材２３には、取付部材２２に係合する上端側係合片３２や中央側係合片３３が形成されているため、これらの係合片２７，３２，３３を係合させるだけで、簡単に位置決めすることできる。
【００２５】
(６)取付部材２２や化粧部材２３を、雨水の流れに関与しない上端部側の端縁で軒樋部２１の湾曲部２６に取り付けたので、これらの取付箇所から雨水が流れ落ちることを防止できる。
【００２６】
なお、本発明は、前記実施形態には限定されない。前記実施形態では、屋根をテラス１に適用したが、これに限らず、例えばカーポートやベランダ等に適用してもよい。
【００２７】
また、前記実施形態では、複数の取付部材を用いて、化粧部材を軒樋部に取り付ける構成としたが、１つの取付部材で化粧部材を取り付ける構成としてもよい。
【００２８】
また、前記実施形態では、化粧部材の形状を、軒樋部の湾曲部分に沿って湾曲した形状としたが、例えば、図４（Ａ），（Ｂ）に示すように、湾曲した形状としなくてもよい。図４は、図２の化粧部材２３を下記化粧部材に変更したものである。すなわち、図４（Ａ）に示すように、化粧部材３２３では、湾曲部３１に相当する本体部３３１を、外側へ向かって突出する断面「く」字状として構成することができる。この場合には、本体部３３１の上端部に前記上端側係合片３２を形成して突出部２８とビス止めし、前記中央側係合片３３を取付部材２２まで延びるように形成して外係合片２９に係合させることにより、化粧部材３２３を取付部材２２に取り付けることができる。また、図４（Ｂ）に示すように、化粧部材４２３では、湾曲部３１に相当する本体部４３１を断面「エ」字状に構成して、その上部と下部に、外側へ突出する突出部４３１Ａを形状してもよい。この場合には、本体部４３１の上端部の内側に前記上端側係合片３２を形成して突出部２８とビス止めし、前記中央側係合片３３を外係合片２９に係合させることにより、化粧部材４２３を取付部材２２に取り付けることができる。このように化粧部材の形状を、前記軒樋部の湾曲部に沿った形状以外とすることができるため、見た目のバリエーションをより一層向上できる。
【図面の簡単な説明】
【００２９】
【図１】本発明の一実施形態に係る屋根が適用されテラスを示す斜視図である。
【図２】前記屋根の軒先側を拡大して示す縦断面図である。
【図３】前記屋根の軒先側を拡大して示す横断面図である。
【図４】本発明の変形例に係る屋根の軒先側を拡大して示す縦断面図である。
【符号の説明】
【００３０】
３ 屋根
１０  屋根本体
１１  垂木掛
１２  前枠
１３  側枠
２０  雨樋部
２１  軒樋部
２１Ａ  上端部
２２ 取付部材
２３ 化粧部材
２６  湾曲部（取付部材本体）
２７  内係合片（第１の係合片）
２８  突出部
２９  外係合片（第２の係合片）
３１  湾曲部（化粧部材本体）
３２  上端側係合片（第３の係合片）
３３  中央側係合片（第４の係合片）
３５  装飾部
【図１】
0004153025.tif 000002
【図２】
0004153025.tif 000003
【図３】
0004153025.tif 000004
【図４】
0004153025.tif 000005